(57)【要約】【課題】複数の放送方式に対応した受信が良好に行えるテレビジョン信号受信装置を得る。【解決手段】ＲＦ変調されたテレビジョン放送信号を受信して、その受信した放送信号中を処理する映像処理部１３で判別した映像信号の垂直周波数が第１の周波数である場合に、チューナ１２側で第１の帯域幅のフィルタ２１を選択した上で、音声処理部１５での音声の復調状態に基づいて、受信したテレビジョン放送信号の放送方式を判別し、映像処理部１３で判別した映像信号の垂直周波数が第２の周波数である場合に、第２の帯域幅のフィルタ２２を選択した上で、映像処理部１３で検出した映像の色成分のサブキャリア周波数に基づいて、受信したテレビジョン放送信号の放送方式を判別し、判別した放送方式に対応した受信処理を行う。【選択図】図１
2007166025.tif 000002
【特許請求の範囲】
【請求項１】
ＲＦ変調されたテレビジョン放送信号を受信するチューナと、
前記チューナで受信するテレビジョン放送信号の帯域を設定する、それぞれ帯域幅が異なる第１及び第２のフィルタと、
前記チューナで受信されたテレビジョン放送信号の映像信号成分を復調処理する映像処理部と、
前記チューナで受信されたテレビジョン放送信号の音声信号成分を復調処理する音声処理部と、
前記映像処理部で判別した映像信号の垂直周波数が第１の周波数である場合に、前記第１のフィルタを選択した上で、前記音声処理部での音声の復調状態に基づいて、受信したテレビジョン放送信号の放送方式を判別し、前記映像処理部で判別した映像信号の垂直周波数が第２の周波数である場合に、前記第２のフィルタを選択した上で、前記映像処理部で検出した映像の色成分のサブキャリア周波数に基づいて、受信したテレビジョン放送信号の放送方式を判別し、判別した放送方式に対応した受信処理を行う制御部とを備えたことを特徴とする
テレビジョン放送信号受信装置。
【請求項２】
請求項１記載のテレビジョン放送信号受信装置において、
前記第１の周波数は５０Ｈｚであり、前記第２の周波数は６０Ｈｚであり、
前記第１の周波数を検出した場合に選択される第１のフィルタは、約８ＭＨｚの帯域を抽出するフィルタであり、前記第２の周波数を検出した場合に選択される第２のフィルタは、約６ＭＨｚの帯域を抽出するフィルタであることを特徴とする
テレビジョン放送信号受信装置。
【発明の詳細な説明】
【技術分野】
【０００１】
本発明は、複数の放送方式のテレビジョン放送信号を受信する受信装置に適用して好適なテレビジョン放送信号受信装置に関する。
【背景技術】
【０００２】
テレビジョン受像機やビデオレコーダなどでテレビジョン放送信号を受信する場合には、放送方式が対応した受信装置である必要がある。例えば、日本では放送方式としてＮＴＳＣ方式が採用されているので、ＮＴＳＣ方式用のテレビジョン受像機が使用されている。また、ＰＡＬ方式が採用されている国では、ＰＡＬ方式用のテレビジョン受像機が使用されている。ＮＴＳＣ方式やＰＡＬ方式は、カラー方式であり、テレビジョンシステムそのものは、Ｍ方式、Ｂ方式など、各種方式があり、これらのテレビジョンシステムと、カラー方式が組み合わされて、テレビジョン放送方式が決まる。
【０００３】
ところで、１つの放送方式に対応したテレビジョン受像機とは別に、複数の放送方式に対応した、いわゆるワールドワイド対応のテレビジョン受像機も開発されている。ワールドワイド対応のテレビジョン受像機で、放送方式を自動的に切換えるタイプの場合には、チューナなどで構成される受信部で、入力したテレビジョン放送信号がどの方式であるかを判別して、その判別した放送方式に対応した処理を行うように、受像機内部の回路などを切換える必要がある。
【０００４】
図５は、従来のワールドワイド対応のテレビジョン受像機が備える受信装置の構成例を示した図である。以下、その構成を説明すると、アンテナ線などが接続されるＲＦ（高周波）入力部１に得られる信号を、チューナ２に供給する。チューナ２では、制御部７から指示されたチャンネル（周波数）の受信を行い、その受信した１つのチャンネルのテレビジョン放送信号を、映像信号処理部３と音声信号処理部５に供給する。
【０００５】
映像信号処理部３では、テレビジョン放送信号から映像信号を復調し、その復調した映像信号を、映像出力部４に供給し、表示部などの後段の処理部に供給する。
【０００６】
音声信号処理部５では、テレビジョン放送信号から音声信号を抽出して復調し、その復調された音声信号を、音声出力部６に供給し、オーディオアンプやスピーカなどに供給して出力させる。
【０００７】
チューナ２での受信チャンネルの自動微調整用のＡＦＴ（自動ファインチューニング）信号は、制御部７に供給されて、受信状態を制御部７が判断できる構成としてある。また、音声信号処理部５では、音声サブキャリアの周波数位置の検出に基づいた放送方式検出信号ｄ１を制御部７に送る構成としてあり、制御部７側では、この方式検出信号ｄ１から、受信したテレビジョン放送信号の放送方式を判断する。判断した放送方式の情報は、放送方式設定信号ｄ２としてチューナ２に送り、放送方式に対応した受信処理を実行させる。
【０００８】
特許文献１には、複数のテレビジョン放送方式のテレビジョン信号を受信する受信装置についての記載がある。
【特許文献１】特開平７−１０７４１３号公報
【発明の開示】
【発明が解決しようとする課題】
【０００９】
ところで、図５に示したような従来構成の場合、検出を開始する際には、入力部１からチューナ２に入力するＲＦ信号のテレビジョン放送方式と、チューナ２に対して供給する放送方式設定信号で指示された放送方式とが一致しない場合とがあった。このよう不一致がある状態で選局処理を行うと、音声信号処理部では、チューナでの誤った処理を行った結果の信号から処理されるために、誤判定されてしまう場合があった。
【００１０】
このような誤判定を防止するためには、例えば、テレビジョン受像機を販売する国ごとに、チューナで受信する放送方式の初期設定状態を、その国で受信される放送方式に設定するようにしてあった。このようにすることで、チューナに入力するＲＦ信号のテレビジョン放送方式と、チューナに対して供給する放送方式設定信号で指示された放送方式とが一致しないケースを極力発生しないようにすることができる。しかしながら、例えば、隣接した別の国の放送信号が受信されてしまう国境付近で使用されるようなケースでは、どの放送方式が受信される可能性が高いか不明であり、国ごとの設定を行うだけでは不十分であり、誤判定の防止が不完全である。また、国ごとに仕様を変える構成とすると、それだけテレビジョン受像機などの放送信号受信装置を、各国ごとに個別の仕様で用意しなければならず、製造コストが増大してしまう問題がある。
【００１１】
本発明はこれらの点に鑑みてなされたものであり、複数の放送方式に対応した受信が良好に行えるようにすることを目的とする。
【課題を解決するための手段】
【００１２】
本発明は、ＲＦ変調されたテレビジョン放送信号を受信するチューナと、チューナで受信するテレビジョン放送信号の帯域幅を設定する第１及び第２のフィルタと、チューナで受信されたテレビジョン放送信号の映像信号成分を復調処理する映像処理部と、チューナで受信されたテレビジョン放送信号の音声信号成分を復調処理する音声処理部と、映像処理部で判別した映像信号の垂直周波数が第１の周波数である場合に、第１のフィルタを選択した上で、音声処理部での音声の復調状態に基づいて、受信したテレビジョン放送信号の放送方式を判別し、映像処理部で判別した映像信号の垂直周波数が第２の周波数である場合に、第２のフィルタを選択した上で、映像処理部で検出した映像の色成分のサブキャリア周波数に基づいて、受信したテレビジョン放送信号の放送方式を判別し、判別した放送方式に対応した受信処理を行うようにしたものである。
【００１３】
このようにしたことで、映像信号の垂直周波数と、音声のサブキャリア周波数と、色成分のサブキャリア周波数とを使用して、受信したテレビジョン放送信号の放送方式を確実に検出することができる。
【発明の効果】
【００１４】
本発明によると、映像信号の垂直周波数と、音声の復調状態と、色成分のサブキャリア周波数とを使用して、受信したテレビジョン放送信号の放送方式を確実に検出することができ、自動的に受信した信号の放送方式に対応した受信処理が行われるという効果を有する。
【発明を実施するための最良の形態】
【００１５】
以下、本発明の一実施の形態を、図１〜図４を参照して説明する。本例においては、複数の放送方式に対応したワールドワイド対応のテレビジョン受像機が備える、テレビジョン放送信号受信部（装置）に適用したものである。受信される複数の放送方式としては、少なくともＮＴＳＣ方式とＰＡＬ方式の受信を行うようにしてある。ＰＡＬ方式の場合には、ＰＡＬ−Ｍ方式と、それ以外のＰＡＬ方式（ＰＡＬ−Ｂ方式など）のいずれも受信が可能としてある。
【００１６】
図１は、本例のテレビジョン放送信号受信装置の構成例を示した図である。アンテナ線などが接続されるＲＦ（高周波）入力部１１に得られる信号を、チューナ１２に供給する。チューナ１２では、制御部１７から指示されたチャンネル（周波数）の受信を行い、その受信した１つのチャンネルのテレビジョン放送信号を、映像信号処理部１３と音声信号処理部１５に供給する。
【００１７】
ここで、本例のチューナ１２は、複数のテレビジョン放送方式に対応した受信が可能としてあり、受信帯域幅を決めるフィルタについても、第１のフィルタ２１と第２のフィルタ２２の２種類のフィルタが接続してある。この２つのフィルタ２１，２２は、切換スイッチ２３，２４によりいずれか一方がチューナ１２に接続される構成としてあり、いずれか一方が選択的に使用されて、テレビジョン放送信号の抽出に使用される。本例の場合、第１のフィルタ２１は通過帯域幅が８ＭＨｚのバンドパスフィルタとしてあり、第２のフィルタ２２は通過帯域幅が６ＭＨｚのバンドパスフィルタとしてある。
【００１８】
映像信号処理部１３では、チューナ１２から供給される１つのチャンネルのテレビジョン放送信号から映像信号を抽出して復調し、その復調した映像信号を、映像出力部１４に供給し、表示部などの後段の処理部に供給する。本例の映像信号処理部１３では、復調処理した映像信号の垂直同期周波数を検出するとともに、色信号のサブキャリアの周波数位置などの検出についても行い、それぞれの検出情報ｄ１１，ｄ１２を制御部１７に送る。
【００１９】
音声信号処理部１５では、テレビジョン放送信号から音声信号を抽出して復調し、その復調された音声信号を、音声出力部１６に供給し、オーディオアンプやスピーカなどに供給して出力させる。音声信号処理部１５での復調時には、音声信号のサブキャリアの周波数位置などの検出状態に関する情報ｄ１３を制御部１７に送る。
【００２０】
チューナ１２での受信チャンネルの自動微調整用のＡＦＴ（自動ファインチューニング）信号は、制御部１７に供給されて、受信状態を制御部１７が判断できる構成としてある。
【００２１】
そして、制御部１７は、供給される情報から受信したテレビジョン放送信号の放送方式を判別し、その判別した放送方式の情報ｄ１４を、チューナ１２に供給する構成としてある。また、映像周波数の情報についても、制御部１７からチューナ１２に供給する構成としてある。
【００２２】
次に、図１に示した制御部１７に供給される情報に基づいて、制御部１７でテレビジョン放送方式を判別する処理例を、図２のフローチャートを参照して説明する。まず制御部１７では、映像信号処理部１３に供給される映像信号の垂直同期周波数を、情報ｄ１２から判断する（ステップＳ１１）。ここでは、５０Ｈｚか６０Ｈｚかを判断する。この判断で垂直同期周波数が５０Ｈｚであると判断した場合には、チューナ１２に接続されたフィルタとして、帯域幅８ＭＨｚのフィルタ２１を使用するように、スイッチ２３，２４を切換えさせる（ステップＳ１２）。
【００２３】
そして、この状態で受信を行って、音声信号処理部１５で検出される音声信号の復調状態に関する情報ｄ１３を判断し（ステップＳ１３）、その判断した音声に関する情報から、具体的なテレビシステムを判断するようにしてある（ステップＳ１４）。ここでは、ステップＳ１１で垂直同期周波数が５０Ｈｚであると判断された時点で、カラー方式がＰＡＬ方式であると確定し、音声の復調状態から、詳細なテレビシステムが判別される。
【００２４】
そして、ステップＳ１１で垂直同期周波数が６０Ｈｚであると判断された場合には、チューナ１２に接続されたフィルタとして、帯域幅６ＭＨｚのフィルタ２２を使用するように、スイッチ２３，２４を切換えさせる（ステップＳ１５）。
【００２５】
そして、この状態で受信を行って、映像信号処理部１３で検出される色信号のサブキャリア周波数の情報ｄ１１を判断し（ステップＳ１６）、その判断した色信号のサブキャリア周波数位置から、ＮＴＳＣ方式かＰＡＬ−Ｍ方式かを判別するようにしてある。
【００２６】
ここで、図３にテレビジョン放送信号の搬送波周波数の例について示すと、映像信号の伝送される帯域として、帯域幅６ＭＨｚから帯域幅８ＭＨｚが、放送方式ごとに設定されている。そして、映像信号搬送波から所定周波数Ｆａだけ離れた周波数位置に、音声信号サブキャリアが配置されている。また、色信号サブキャリアについても所定の周波数位置に配置されている。この図３に示すような各サブキャリアの周波数位置などの復調状態の情報と、映像の垂直同期周波数とに基づいて、各放送方式が判別される。
【００２７】
図４は、本例の処理で判別される具体的なテレビジョン放送システムの例を示したものである。本例の装置で受信可能なテレビシステムとしては、Ｍ，Ｂ，Ｇ，Ｉ，Ｄ，Ｋ，Ｌが存在し、Ｍシステムの場合には、１チャンネルあたりの帯域幅が６ＭＨｚであり、フィールド周波数（垂直周波数）が６０Ｈｚであり、１フィールドあたりの走査線数が５２５本である。Ｂシステムの場合には、１チャンネルあたりの帯域幅が７ＭＨｚであり、フィールド周波数が５０Ｈｚであり、１フィールドあたりの走査線数が６２５本である。Ｇ，Ｉ，Ｄ，Ｋ，Ｌのシステムの場合には、１チャンネルあたりの帯域幅が８ＭＨｚであり、フィールド周波数が５０Ｈｚであり、１フィールドあたりの走査線数が６２５本である。
【００２８】
この図４に示すように、各放送方式（放送システム）の違いに応じた信号形式の違いを検出して、放送方式を判別することで、精度良くそれぞれの放送方式（カラー方式及び放送システム）を検出することができる。このようにして放送方式の詳細を検出できることで、図１に示した受信装置内の各回路部での信号処理を、対応した信号処理方式に設定して、正しい受信処理を行わせることができる。また、図１に図示されない表示部などのその他の処理部でも、受信した信号方式に適合した正しい処理を行うように、制御部１７が制御して設定することができ、正しい受信や受像処理が行える。
【００２９】
また、受信処理部で受信信号の放送方式を正しく検出できることで、例えば、チューナで受信する放送方式の初期設定状態を、その国で受信される放送方式に設定しておく必要がなくなり、使用される国ごとに初期設定状態を変えた受信装置を用意する必要がなくなる。従って、複数の国で装置の共通化が図れ、テレビジョン受像機などの映像機器の生産性が向上する。
【００３０】
なお、ここまで説明した実施の形態では、テレビジョン受像機が備える受信装置に適用した例としたが、テレビジョン放送信号受信装置を必要とする映像機器であれば、ビデオレコーダなどの他の機器に適用してもよい。また、図４に示した判別する放送方式の具体的な例については一例を示したものであり、その他の複数の放送方式（カラー方式）を同様な処理で検出するようにしてもよい。
【図面の簡単な説明】
【００３１】
【図１】本発明の一実施の形態による構成例を示すブロック図である。
【図２】本発明の一実施の形態による放送方式判別処理例を示したフローチャートである。
【図３】テレビジョン信号のサブキャリアの配置例を示す説明図である。
【図４】テレビジョン放送方式の例を示した説明図である。
【図５】従来のテレビジョン放送受信構成例を示すブロック図である。
【符号の説明】
【００３２】
１１…ＲＦ入力部、１２…チューナ、１３…映像信号処理部、１４…映像出力部、１５…音声信号処理部、１６…音声出力部、１７…制御部、２１，２２…フィルタ、２３，２４…切換スイッチ
【図１】
2007166025.tif 000003
【図２】
2007166025.tif 000004
【図３】
2007166025.tif 000005
【図４】
2007166025.tif 000006
【図５】
2007166025.tif 000007